(57)【要約】【課題】一枚の布と２本のゴム紐で軽く、風に飛ばされず、雨に破れず、小さく畳んで携帯に便利で太陽からの眩しさを防止し、ハンカチ、タオル等の部材の追加で首筋日焼け防止を加え、更に多機能になる帽子を提供する。【解決手段】日除け帽Ａは頭Ｚに被り使用するものである。日除け帽Ａの布Ｂに円孔１〜１６を開け、１〜８に顎紐Ｃを通し、９〜１６に後頭部紐Ｄを通して、前後の風で日除け帽Ａが飛ばされるのを防ぐ。ハンカチ、タオル等を頭Ｚの上に被せて定着させ首筋Ｗの日焼け防止と汗の吸い取りをさせ、切り取り線Ｈ１、Ｈ２又はその近辺、切り取り線Ｊ又はその近辺を切り取ることにより、日除け帽Ａを小サイズにすることが出来る。【選択図】図４
2011017114.tif 000002
【特許請求の範囲】
【請求項１】
製作工程を製縫、接着剤なしで作り、頭を覆うのに紙も良いが、張りのある紙状の布で汗、雨に強く手で破れない布上の定まった位置に複数の円孔を開け、円孔を通した伸縮する紐２本によって布を頭上に動かぬように置いて、頭の前方の出っ張りで目に対する太陽の眩しさを防止し、表裏替えても同じ結果になることを特徴とする帽子。
【請求項２】
請求項１の布の円孔を通した紐が円孔より抜け落ちを防止する為に、紐の直径を円孔よりやや小の紐を使用して、紐の端部に結び目を作ると、結び目が円孔の直径より大と成ることと、結び目を垂直に円孔を通すと円孔を破損することが考えられるので、紐を複数の円孔を通すことにより、紐と布を水平な状態にして、水平な円孔が水平より高い結び目の通り抜けを阻止することを特徴とする帽子。
【請求項３】
請求項１の２本の伸縮する紐の１本は布と顎間で前方からの風、他の１本は布と後頭部間で後方からの風で飛ばされるのを防ぎ、その２本の長さは各自調整可能で長すぎる場合最初に作った結び目はそのままにして、紐の途中で自分に合った長さに結び目を作り、簡単に調節出来ることを特徴とする帽子。
【請求項４】
請求項１の帽子を小型化するため、前方と後方、下辺の布を希望の長さで切リ取るだけで、頂点に近い紐の出発点の円孔が切り取られぬ限り紐の長さに関係なく、小サイズに変更出来ることを特徴とする帽子。
【請求項５】
請求項１の帽子で頭の上部に当たる布の下にハンカチ等を置いて日射熱を和らげたり、多数の空気の流通する穴を開け、濡れたハンカチ等を置いて、気化熱を穴を通して外部に出すことにより、更に涼しくする応用の機能を有していることを特徴とする帽子。
【請求項６】
請求項１の帽子が強風で頭上を不安定に動くのを阻止するため、前後に出ている布を内側に折り込んで風の影響を避け、別の場所に保管して忘れ物にならぬよう、頭に被り続ける事が出来ることを特徴とする帽子。
【発明の詳細な説明】
【技術分解】
【０００１】  １枚の布と２本の伸縮する紐で構成し、軽く、ペイント自由、風に飛ばされず、雨に破れず、小さく畳められ、太陽からの眩しさ対策の帽子に関することである。
【背景技術】
【０００２】  日常使用している帽子は、形を変えられぬ構造で、仕事用を除き大部分が日除けを目的としており、製縫又は接着剤使用の工程を受けている。【０００３】  日除けのみを目的とした帽子でサンバイザーがあるが、日除け部を大きくし固定するための材質は意外と重く、強風に飛ばされやすい弱点がある。【０００４】  通常帽子はポケットに収容するには大きすぎ、必要なくても被り続けるかバック等に収容するが、女性はお洒落な帽子を好む傾向があり、折り畳み出来ず被り続けねばならないので、被り続ける特権を得るようになった。【０００５】  最近男性には無帽の傾向が有り、直接目に太陽光を当て続けることは目の炎症発生が考えられるが、無帽による目の炎症発生の大なる警告が眼科学会より無く、患者減少の努力が無いのは納得がゆかない。
【発明の開示】
【発明が解決しようとする課題】
【０００６】  形の製作工程を製縫、接着剤使用なしの刃物のみで作り、風に飛ばされず、雨に破れず小さく折り畳んでポケットに収容して、日照りの場合、手軽に日除け帽子として提供することである。【０００７】  世界中から日照による目の炎症率を下げる為、携帯便利で低コストの帽子を提供することである。【０００８】  首筋の日焼け防止、頭の汗取りのために、ハンカチ、タオル等を頭上に安定して置き、日除けをプラスした帽子を提供することである。【０００９】  布１枚と伸縮する紐２本の帽子が、頭のサイズが多少違っても紐の調節によって誰にでも合う帽子として提供することである。【００１０】  通常サイズを製縫、接着剤使用なしの刃物のみで、小サイズになる帽子を提供することである。【００１１】  強風で頭上を不安定に動くのを避ける帽子を提供することである。
【話題を解決するための手段】
【００１２】  製作工程を製縫、接着剤なしで作り、頭に覆うのに紙も良いが、張りのある紙状の布で汗、雨に強く、手で破れない布上の定まった位置に複数の円孔を開け、円孔を通した伸縮する紐２本によって布を頭上に動かぬように置いて、頭の前方の出っ張りで、目に対する太陽の眩しさを防止し、表裏替えても同じ結果になることを特徴とする。
【００１３】  布の円孔を通した紐が円孔より抜け落ちを阻止する為に、紐の直径を円孔よりやや小の紐を使用して、紐の端部に結び目を作ると、結び目が円孔の直径より大と成ることと、結び目を垂直に円孔を通すと円孔を破損することが考えられるので、紐を複数の円孔を通すことにより、紐と布を水平な状態にして、水平な円孔が水平より高い結び目の通り抜けを阻止することを特徴とする。
【００１４】  ２本の伸縮する紐の１本は布と顎間で前方からの風、他の１本は布と後頭部間で後方からの風で飛ばされるのを防ぎ、その２本の長さは各自調整可能で長すぎる場合、最初に作った結び目はそのままにして、紐の途中で自分に合った長さに結び目を作り、簡単に調節出来ることを特徴とする。
【００１５】  帽子を小型化する為下辺の布を希望の長さで切り取るだけで、頂点に近い紐の出発点の円孔が切り取られぬ限り紐の長さに関係なく、小サイズに変更出来ることを特徴とする。
【００１６】  頭の上部に当たる布の下に、ハンカチ等を置いて日射熱を和らげたり、濡れたハンカチ等を置いて、気化熱で更に涼しくする応用の機能を有していることを特徴とする。
【００１７】  帽子が強風で頭上を不安定に動くのを阻止するため、前後に出ている布を内側に折り込んで風の影響を避け、別の場所に保管して忘れ物にならぬよう、頭に被り続ける事が出来ることを特徴とする。
【発明の効果】
【００１８】  形の製作工程を製縫、接着剤なしの刃物のみで作る事が出来る。
【００１９】  帽子の布として不織布を使用すると、伸縮する紐２本で重さ６ｇの多機能を有する帽子としては最軽量となる。
【００２０】  帽子の布に不織布を使用すると、雨、汗に濡れても、手でも破れず、折り畳めてポケットに収容出来て携帯に便利であり、日照の場合、日除け帽子として使用できる。
【００２１】  前方からの風は顎紐、後方からの風は後頭部紐で帽子が風に飛ばされるのを防止する。
【００２２】  布と紐は首筋の日焼け防止、頭の汗取りのためのハンカチ、タオル等を頭上に安定して置く働きをし、帽子を更に多機能化する。
【００２３】  帽子の紐の長さが合わぬ場合、紐の両端の近くに、新たに自分に合う結び目を作るだけで、自分に合った帽子にすることが出来る。
【００２４】  標準サイズに作られた帽子は、好みのサイズで前方と後方、下辺を切り取り、紐の長さは調節のみで小サイズに変更できる。
【００２５】  帽子の側面は耳への雑音を防ぐ構造になっているので、耳の遠くなりつつある人のテレビ聴視に貢献すると共に、前方のみの視野なので勉学に集中したい人に役立つ。
【００２６】  助手席又はバスの客席等で長時間側面からの日照に悩まされる場合、帽子は側面の日照を防ぐ構造になっているので使用価値があると共に、カーテンを閉めずに景色を楽しむことが出来る。
【００２７】  強風で帽子が頭上で不安定な場合は、前後に出ている布を内側に折り込んで風の影響を無くし、頭に被り続ける事が出来る。
【発明を実施するための最良の形態】
【００２８】  以下、添付の図面に基づいて本発明の実施例を説明する。【００２９】  図１は不織布Ｂ又はそれに準じた材料の布Ｂを刃物による裁断で作り、定まった位置に円孔１〜１６を開けた状態の正面図である。角が肌に違和感を与えぬよう、円形にしている。布のＢの中心線Ｇで左右を、折り合わせると円孔１〜４と５〜８、円孔９〜１２と１３〜１６は合致する。【００３０】  図２は布Ｂの円孔１〜８に伸縮する顎紐Ｃと円孔９〜１６に伸縮する後頭部紐Ｄを通した状態を示した図である。顎紐Ｃの一方の端部に結び目Ｅ１を作り、他方の端部から円孔１〜４更に円孔５〜８と通した端部に結び目Ｅ２を作り、顎紐Ｃの両端の結び目Ｅ１，Ｅ２が円孔１、８からの抜け落ちを防ぐ。後頭部紐Ｄも同様な処理で円孔９〜１６を通し、結び目Ｆ１、Ｆ２が円孔９、１６からの抜け落ちを防ぐ。【００３１】  図３は図２で顎紐Ｃを円孔１〜４を通した拡大図で布Ｂと顎紐Ｃが平行状態となり、水平な円孔１が水平状態より高い状態の結び目Ｅ１の平行に通り抜けるのを阻止している図である。内側Ｋに結び目Ｅ１があると外側Ｌから見えぬので外見上好ましい。【００３２】  図４は日除け帽Ａを頭Ｚに被った状態を示した図で、顎紐Ｃを円孔１〜４を通して顎Ｘに掛け、後頭部紐Ｄを円孔９〜１２を通して後頭部Ｙに掛けて前後の風で日除け帽Ａの飛ばされるのを防ぐと共に、日除け帽Ａを前後に移動して太陽の高低に合わせ目に入る日射を防止する。【００３３】  首筋Ｗの日焼けを防止、頭Ｚの汗吸い取りのため、ハンカチ、タオル等を頭Ｚの上に乗せ、布Ｂと顎紐Ｃ、後頭部紐Ｄで定着させて、眩しさ防止と共に更に多機能化させる。【００３４】  日除け帽Ａが大きい場合、図１の布Ｂの切り取り線Ｈ１、Ｈ２又はその近辺を切り取るか、切り取り線Ｊ又はその近辺を切り取ることにより日除け帽Ａのサイズを小型化することが出来る。切り取り線Ｈ１、Ｈ２、Ｊは、各自、自由に画することが出来る。
【図面の簡単な説明】
【００３５】
【図１】日除け帽の布に円孔を開けた状態の一方の面を示す図である。
【図２】布の円孔に紐を通した状態の一方の面を示す図である。
【図３】顎紐を円孔に通した状態の拡大した断面図である。
【図４】頭に日除け帽を被った状態を説明するための図である。
【符号の説明】
【００３６】  Ａ          日除け帽
Ｂ          布
Ｃ          顎紐
Ｄ          後頭部紐
Ｅ１、Ｅ２  顎紐の結び目
Ｆ１、Ｆ２  後頭部紐の結び目
Ｇ          中心線
Ｈ１、Ｈ２  切り取り線
Ｊ          切り取り線
Ｋ          内側
Ｌ          外側
Ｗ          首筋
Ｘ          顎
Ｙ          後頭部
Ｚ          頭
１〜１６    円孔
【図１】
2011017114.tif 000003
【図２】
2011017114.tif 000004
【図３】
2011017114.tif 000005
【図４】
2011017114.tif 000006